(57)【特許請求の範囲】
【請求項１】
建物の床下に、複数の流入側接続部と１個の流出側接続部を有するヘッダーが配置され、このヘッダーの各流入側接続部に、建物内に設置されている各種排水設備に接続されている排水枝管の流出側端部が接続されるとともに、ヘッダーの流出側接続部と接続されている排水主管の下流側端部が建物の外周基礎を貫通して屋外に突出されて建物の外周基礎の外側地中に埋設されている排水桝の流入側接続部と接続され、この排水桝の流出側接続部と接続されている排水主管の下流側端部が公共桝の流入側接続部と接続されている住宅用排水システムであって、
前記ヘッダーおよび排水主管が、建物の床下面に対して、所定の排水勾配を有して配管され、前記排水枝管のうち、建物内の排水設備であるトイレと接続されている排水枝管のみが、外周基礎の内側に存在している内側基礎に設けられた挿通孔を挿通して、所定の排水勾配を有して配管されていることを特徴とする住宅用排水システム。
【発明の詳細な説明】
【０００１】
【発明の属する技術分野】
本発明は、住宅用排水システムに関する。
【０００２】
【従来の技術】
従来、アパートなどの小規模集合住宅や個人用住宅では、図１７に示すように、建物２内に設置された台所２５，トイレ２１，洗面所２２，洗濯機２３，浴室２４などの各種排水設備にて発生した排水は、それぞれの排水設備に接続された各排水枝管５１を通じて建物の外側に埋設配管された各排水桝６に流れ込み、この排水桝６間を接続している宅地内の排水管路３を通じて公共桝７に流れ込み、この公共桝７を経て公道下に埋設された下水本管へ排水される排水システムとなっている。
【０００３】
ところで、上記従来の排水システムの場合、宅地１内の排水管路３は建物２の基礎３の外側に埋設配管されており、この排水管路３の曲がり部や合流部に各種タイプの排水桝が設置されるようになっている。この排水桝としては、たとえばポリプロピレン樹脂製のものや硬質塩化ビニル樹脂製のものが用いられている。これらの排水桝の立ち上がり口径は、一般的には、ポリプロピレン樹脂製のものでは約３００ｍｍ、一方、硬質塩化ビニル樹脂製のものでは約１５０〜２００ｍｍである。
【０００４】
このように、従来の排水システムでは、建物の外郭と宅地の境界との間に、建物の外郭に沿って排水管路を埋設配管するとともに、この排水管路の途中に、各各種排水設備に接続したそれぞれの排水枝管の端部が接続される排水桝を設置するための空間が必要である。このため、宅地の狭小化によって、排水桝の設置が困難になってくるという問題があった。
【０００５】
このような問題を解消する住宅用の排水システムとして、特開平１０−３３１２２１号公報において、建物の床下に配管され、建物内の各排水設備にそれぞれ接続した排水枝管と、建物の外方に建物の外郭に沿って宅地内に配管され、前記排水枝管を接続する流入枝管口を有する排水桝を接続した排水管とを備え、前記排水枝管は、ほぼ同一方向に向けて建物の外側に導出して宅地内に配管された前記排水管に接続されている排水桝の流入枝管口に接続し、前記排水枝管は、建物の床下に向けて配管した縦枝管部と、床下に下流側を下方に向けた勾配をもって配管された横枝管部および縦枝管部と横枝管部とを接続する湾曲枝管部とにてそれぞれ形成し、前記各排水管の少なくとも各湾曲枝管部をフレキシブル管にてそれぞれ形成した住宅用の排水配管装置が開示されている。
【０００６】
【発明が解決しようとする課題】
しかしながら、上記特開平１０−３３１２２１号公報に開示の排水配管装置の場合は、各排水設備に接続された排水枝管を形成している横枝管部のそれぞれを建物の外周基礎を貫通させて排水桝の流入枝管口と接続させなければならない。このため、建物の外周基礎が局部的に強度低下を生じたり、あるいは、貫通部の水密処理に手間を要するという問題があった。また、各横枝管部の端部と排水桝の流入枝管口との接続作業も工数を要するという問題があった。
【０００７】
本発明の目的は、建物の外周基礎に形成する挿通孔が一箇所で済み、その結果、建物の外周基礎の強度低下が生じず、排水管路内の点検や清掃などの維持管理を容易に行え、しかも、掘削工事などの土工費用を大幅に削減することができる住宅用排水システムを提供することである。
【０００８】
また、本発明の目的は、狭小な宅地であっても、宅地を有効に活用できる住宅用排水システムを提供することである。
【０００９】
さらに、本発明の目的は、良好な排水特性を有する住宅用排水システムを提供することである。
【００１０】
【課題を解決するための手段】
請求項１記載の本発明は、建物の床下に、複数の流入側接続部と１個の流出側接続部を有するヘッダーが配置され、このヘッダーの各流入側接続部に、建物内に設置されている各種排水設備に接続されている排水枝管の流出側端部が接続されるとともに、ヘッダーの流出側接続部と接続されている排水主管の下流側端部が建物の外周基礎を貫通して屋外に突出されて建物の外周基礎の外側地中に埋設されている排水桝の流入側接続部と接続され、この排水桝の流出側接続部と接続されている排水主管の下流側端部が公共桝の流入側接続部と接続されている住宅用排水システムであって、前記ヘッダーおよび排水主管が、建物の床下面に対して、所定の排水勾配を有して配管され、前記排水枝管のうち、建物内の排水設備であるトイレと接続されている排水枝管のみが、外周基礎の内側に存在している内側基礎に設けられた挿通孔を挿通して、所定の排水勾配を有して配管されているものである。
【００１１】
（削除）
【００１２】
（削除）
【００１３】
（作用）
請求項１記載の本発明の住宅用排水システムでは、建物の床下に、複数の流入側接続部と１個の流出側接続部を有するヘッダーが配置され、このヘッダーの各流入側接続部に、建物内に設置されている各種排水設備に接続されている排水枝管の流出側端部が接続されるとともに、ヘッダーの流出側接続部と接続されている排水主管の下流側端部が建物の外周基礎を貫通して屋外に突出されて建物の外周基礎の外側地中に埋設されている排水桝の流入側接続部と接続され、この排水桝の流出側接続部と接続されている排水主管の下流側端部が公共桝の流入側接続部と接続されているので、建物内の各種排水設備に接続されている排水枝管の流出側端部を、ヘッダーの各流入側接続部と接続することで、一箇所にて各種排水設備との間の配管接続を一箇所にて効率よく行える。また、建物の外周基礎に形成する挿通孔が一箇所で済み、建物の外周基礎の強度低下が生じない。
また、排水主管は建物の床下に配管されているので、掘削工事などの土工費用を削減できる。そして、排水主管が露出配管されていることで、排水主管の部分的補修を、たとえばやり取り継手などを用いて容易に行うことができる。しかも、建物の外周基礎の外側の宅地内に埋設する排水桝は一つで済むので、材料費や施工費を削減できる。さらに、従来のように、建物の外周基礎の外側の宅地内に排水主管や多数の排水桝を埋設する必要がないので、狭小な宅地であっても、宅地を有効に活用できる。
【００１４】
（削除）
【００１５】
（削除）
【００１６】
（削除）
【００１７】
また、ヘッダーの設置場所が決まることによって、配管ルートが明確になり、プレハブ配管が可能となる。その結果、配管作業者による施工差も解消できる。
【００１８】
そして、ヘッダーおよび排水主管が、建物の床下面に対して所定の排水勾配を有して配管されているので、排水の流れ特性は良好である。
【００１９】
また、排水枝管のうち、建物内の排水設備であるトイレと接続されている排水枝管のみが、外周基礎の内側に存在している内側基礎に設けられた挿通孔を挿通して、所定の排水勾配を有して配管されているので、排水の流れ特性は良好である。この場合、トイレと接続されている排水枝管が内側基礎に設けられた挿通孔を挿通して、所定の排水勾配を有して配管されているので、トイレ以外の建物内の排水設備（例えば洗面所、洗濯機、浴室、台所など）と接続されている排水枝管の場合のように、これらの排水枝管に所定の排水勾配を付与するために必要な管枕あるいは管継手が不要となる。
【００２０】
【発明の実施の形態】
以下、本発明の実施の形態を図面を参照して説明する。
図１は本発明の住宅用排水システムの第１実施例（参考例）を示す模式説明図、図２は図１の要部を示す横断面図、図３は図２の要部拡大図、図４は図３のＸ−Ｘ切断断面図、図５は図２の要部を示す縦断面図である。
【００２１】
図１において、２は宅地１内に建てられている建物である。建物２の床下において、硬質塩化ビニル樹脂製の排水主管３が建物２の長辺側および短辺側の外周基礎４の内側に沿ってほぼＬ字状に配管されている。この排水主管３は、図２に示すように、４箇所の内側基礎４１に設けられた各挿通孔４１ａを挿通して配管されている。具体的には、たとえば排水主管３の排水勾配が１／１００の場合であれば、図５に示すように、下流側の排水主管３が挿通している挿通孔４１ａの中心は、上流側の排水主管３が挿通している挿通孔４１ａの中心に対して、排水主管３の排水勾配に対応した分だけ下方にずれている。このようにして、排水主管３は、外周基礎４の内側に沿って所定の排水勾配を有して配管されている。
【００２２】
そして、排水主管３の所定位置に接着接続されている各９０度大曲りＹ継手３１の分岐流入側の受け口３１１に、建物２内に設置されているトイレ２１，洗面所２２，洗濯機２３，浴室２４，台所２５などの排水設備に接続されている各排水枝管５１の流出側端部が接着接続されている。
【００２３】
排水主管３の曲がり部付近には、図３および図４に示すように、外周基礎４の内面に固定された２個の金属製の受け板４２にて支持されるとともに、Ｕ字状の締め付けボルト４３にて固定されている。なお、この場合、排水主管３は基本的には内側基礎４１の各孔４１ａにて支持されているので、受け板４２はあくまでも補助的なものであり、必要に応じて設置すればよい。なお、図４において、４４は床板面材、４５は根太、４６は防湿コンクリートあるいは盛土である。
【００２４】
排水主管３の下流側先端には９０度エルボ継手３２の一端が接続され、このエルボ継手３２の他端に接着接続された短管３３の一端が建物２の外周基礎４の孔４ａを貫通して屋外に突出されている。そして、図６に示すように、短管３３の他端と、建物２の外周基礎４の外側地中に埋設された排水桝６の流入側受け口６１との間が、９０度大曲りＹ継手３４，短管３５および９０度エルボ継手３６を介して接続されている。９０度大曲りＹ継手３４の上端受け口３４１内には栓体３４２が着脱自在に装着されている。
【００２５】
地表面に露出している９０度大曲りＹ継手３４は、図６に示すように、配管カバー３４ａにて覆われて保護されている。排水桝６の流出側受け口６２には排水管３Ａの一端部が接着接続され、この排水管３Ａの他端部が公共桝７の流入側接続部と接着接続されている。排水桝６の上端受け口６３には短管６４の下端が接続され、短管６４の上端に掃除口用の蓋６５が着脱自在に装着されている。
【００２６】
一方、図２に示すように、排水主管３の上流側端部には９０度エルボ継手３７の一端が接着接続され、このエルボ継手３７の他端開口内に栓体３７１が着脱自在に装着されることで掃除口とされている。エルボ継手３７はその開口端が建物２の外周基礎４内面と相対峙するように配管接続され、この開口端に対応した外周基礎４には内外方向に貫通した孔４ｂが設けられている。建物２の外側から孔４ｂを通じてエルボ継手３７の他端開口内に装着されている栓体３７１を外すことで、長片側の外周基礎４に沿って配管された排水主管３内の掃除を行えるようになっている。
【００２７】
そして、排水主管３の曲がり部には９０度大曲りＹ継手３８が接着接続され、このＹ継手３８の受け口３８１の開口端内に栓体３８２が着脱自在に装着されて掃除口とされている。この栓体３８２の形状はＹ継手３８内にスムーズな流路が形成されるようになされている。Ｙ継手３８の掃除口と相対峙している外周基礎４には、図２および図３に示すように、内外方向に貫通した孔４ｃが設けられている。この孔４ｃの大きさは栓体３８２よりも大きくされており、建物２の外側から孔４ｃを通じてＹ継手３８の受け口３８１内に装着されている栓体３８２を外すことで、短辺側の外周基礎４に沿って配管された排水主管３内の掃除を行えるようになっている。
【００２８】
また、Ｙ継手３８の分岐流入側の受け口と相対峙している短片側の外周基礎４にも、図２および図３に示すように、内外方向に貫通した孔４ｄが設けられている。この孔４ｄの大きさは孔４ｃとほぼ同じとされている。この両孔４ｃ，４ｄを利用して排水主管３の更新などを行えるようになっている。
【００２９】
なお、図２の実施例では、排水主管３として、灰色に着色した不透明な硬質塩化ビニル樹脂管を用いたが、たとえば透明な硬質塩化ビニル樹脂管を用いることも可能である。排水主管３を透明なものとすることによって、排水管路内の点検を外部から目視にて行うことが可能となり、排水管路の点検作業を作業性よく簡単に行える。なお、排水主管３の断面形状は円形に限定されず、卵形であってもよい。
【００３０】
その際、トイレ２１，洗面所２２，洗濯機２３，浴室２４，台所２５などの排水設備に接続されている各排水枝管５１も透明な硬質塩化ビニル樹脂管としてもよい。排水枝管５１は内面が平滑な蛇腹管や螺旋管などの可撓性管であってもよい。また、排水主管３および各排水枝管５１を不透明なものとし、この排水主管３と各排水枝管５１と接続している各９０度大曲りＹ継手３１や曲がり部の９０度大曲りＹ継手３８を透明な硬質塩化ビニル樹脂製のものとしてもよい。
【００３１】
上記実施例では、排水主管，９０度大曲りＹ継手，排水枝管などの管路構成部材を硬質塩化ビニル樹脂製のものとしたが、ポリエチレン樹脂製のものとしてもよい。その際、接続方式として、ゴム輪方式、融着方式、溶着方式などを採用すればよい。
【００３２】
また、上記図２の実施例では、掃除口を有している９０度大曲りＹ継手３４を建物２の外周基礎４の外側に露出させて配管接続したが、図７に示すように、外周基礎４の内側に形成した防湿コンクリート４６の一部に窪み部４６１を形成し、この窪み部４６１を利用して、９０度大曲りＹ継手３４を建物２の外周基礎４の内側に配管接続するようにしてもよい。なお、図７において、図６と同一部材については同一符号を付している。
【００３３】
さらに、上記図２の実施例では、掃除口を有する９０度エルボ継手３７の一端を排水主管３の上流側端部に存在している９０度大曲りＹ継手３１の受け口に接続するとともに、外周基礎４に孔４ｂを設けることで、この孔４ｂを通じて、長片側の外周基礎４に沿って配管した排水主管３内の掃除をできるようにしたが、この９０度エルボ継手３７を接続することなく、排水主管３の上流側端部に接続している９０度大曲りＹ継手３１の受け口内に栓体を着脱自在に装着して掃除口としてもよい。その際、栓体の形状は、９０度大曲りＹ継手３１内にスムーズな流路が形成されるようにするのが望ましい。
【００３４】
このようにすることで、外周基礎４に孔４ｂを設けることなく、床下に作業者が入り込むか、あるいは、床面に設けた開口部を利用して排水主管３内の点検や掃除を行える。
【００３５】
上記第１実施例では、排水主管３と各９０度大曲りＹ継手３１との接続方式は接着方式を採用したが、少なくとも一つの９０度大曲りＹ継手３１の接続部をゴム輪方式の受け口として、排水主管３と９０度大曲りＹ継手３１とをゴム輪方式にて接続するようにしてもよい。このように、長辺側および短辺側の外周基礎４に沿って配管されている排水主管３の一部にゴム輪接続部を設けることによって、温度差に起因する排水主管３の伸縮を吸収することができる。なお、９０度大曲りＹ継手３１とは別に、排水主管３の途中にゴム輪受け口を備えた管継手を配管接続してもよい。
【００３６】
図８は本発明の住宅用排水システムの第２実施例（参考例）の要部を示す横断面図、図９は図８における集水桝を示す平面図および正面図である。
【００３７】
図８において、建物２の床下の外周基礎４の内側の防湿コンクリートあるいは盛土４６上に集水桝８が配置されている。この集水桝８は硬質塩化ビニル樹脂製のものであり、図９（ａ），（ｂ）に示すように、有底円筒状のます本体８１の壁部に５個の流入側受け口８２と１個の流出側受け口８３とが一体に突設され、ます本体８１の上端開口には蓋８４が着脱自在に装着されている。集水桝８の流入側および流出側の受け口８２，８３の口径はそれぞれ３０〜７５ｍｍ、１００ｍｍである。
【００３８】
集水桝８の各受け口８２に、建物２内に設置されているトイレ２１，洗面所２２，洗濯機２３，浴室２４，台所２５などの排水設備に接続されている各排水枝管５１の流出側端部が接着接続されている。なお、トイレ２１と接続されている排水枝管５１は、図８に示すように、内側基礎４１に設けられた孔４１ａを貫通して配管されている。なお、各排水枝管５１の一部は蛇腹状あるいは螺旋状とされ、曲げ配管ができるように可撓性が付与されている。
【００３９】
集水桝８と台所２５との間は、排水枝管５１がＬ字状に配管されて接続されており、この排水枝管５１の曲がり部には９０度大曲りＹ継手５２が接着接続され、このＹ継手５２の受け口内に栓体５３が着脱自在に装着されて掃除口とされている。この栓体５３の形状はＹ継手５２内にスムーズな流路が形成されるようになされている。
【００４０】
同様に、集水桝８と浴室２４との間を接続している排水枝管５１の曲がり部にも９０度大曲りＹ継手５２が接着接続され、このＹ継手５２の受け口内に上記と同一の栓体５３が着脱自在に装着されて掃除口とされている。
【００４１】
このように、浴室２４および台所２５と集水桝８との間を接続している両排水枝管５１の曲がり部に掃除口を設けることによって、この掃除口を通じて両排水枝管５１内の点検や掃除を行えるようになっている。
【００４２】
そして、集水桝８の流出側受け口８２に排水主管３の上流側端部が接着接続され、この排水主管３の下流側端部が建物２の外周基礎４の外側地中に埋設された排水桝６の流入側受け口６１と接着接続されている。その際、排水主管３は、図１０および図１１に示すように、排水主管３の上流側および下流側の２箇所に配置された管枕９の凹部９１にて支持され、床下の防湿コンクリート４６上に、たとえば１／１００の排水勾配を有して配管されている。この場合、排水主管３の下流側に配置されている管枕９のほうが、排水主管３の上流側に配置されている管枕９よりも、その底部高さ（Ｈ）が低くされている。管枕９は木，合成樹脂，コンクリートなどから所定形状に製されたものである。
【００４３】
なお、浴室２４および台所２５と集水桝８との間を接続している両排水枝管５１の部分にも、寸法的には小さい同様の管枕９が配置されることで、両排水枝管５１は所定の排水勾配を有して配管されている。
【００４４】
そして、排水桝６の流出側受け口６２に排水主管３Ａが接着接続され、この排水主管３Ａの下流側端部が公共桝７の流入側受け口と接着接続され、この公共桝７を通じて建物２内の各排水設備２１〜２５にて生じた排水が下水道本管に排水されるようになっている。なお、排水主管３，３Ａはともに口径１００ｍｍの灰色に着色した不透明な硬質塩化ビニル樹脂製のものである。
【００４５】
そして、外周基礎４の孔４ａを貫通して屋外に突出されている排水主管３の下流側先端と、建物２の外周基礎４の外側地中に埋設された排水桝６の流入側受け口６１との間は、上記第１実施例の図６と同様に、９０度大曲りＹ継手３４，短管３５および９０度エルボ継手３６を介して接着接続されている。
【００４６】
上記図１０の実施例では、排水主管３に所定の排水勾配を付与するために管枕９を用いたが、この管枕９に代えて、硬質塩化ビニル樹脂製の勾配付きの管継手９Ａを用いてもよい。この管継手９Ａは、図１２に示すように、板状の支持脚部９１Ａの下面にはたとえば１／１００の傾斜面が設けられている。同様に、浴室２４および台所２５と集水桝８との間を接続している両排水枝管５１の部分にも、同様の管継手９Ａを配置して、両排水枝管５１に所定の排水勾配を付与するようにしてもよい。その際、集水桝８と浴室２４（あるいは台所２５）との間を接続している排水枝管５１の曲がり部に接続している９０度大曲りＹ継手５２そのものを勾配付きのもの、あるいは、このＹ継手５２に代えて勾配付きのベンド継手としてもよい。
【００４７】
また、図１３に示すように、管枕９に代えて、勾配付き支持板９Ｂを用いてもよい。この支持板９Ｂは木，合成樹脂，コンクリートなどから図１４に示すような所定形状に製されたものであり、床下の防湿コンクリート４６上に載置した状態で、支持板９Ｂの上面９１Ｂがたとえば１／１００の傾斜面を有している。
【００４８】
図１５は本発明の住宅用排水システムの第３実施例の要部を示す横断面図である。
【００４９】
図１５において、建物２の床下の外周基礎４の内側の防湿コンクリートあるいは盛土４６上にヘッダー８が配置されている。このヘッダー８は、建物２内に設置されているトイレ２１，洗面所２２，洗濯機２３，浴室２４，台所２５などの排水設備にて生じた排水を一箇所に集水して排水するための機能を有するものである。
【００５０】
ヘッダー８は硬質塩化ビニル樹脂製のものであり、５個の９０度大曲りＹ継手８ａを管軸方向に短管を介して接着接続されている。その際、隣接する９０度大曲りＹ継手８ａの分岐流入側の各受け口８１ａが互いに反対方向を向くように接続されている。なお、分岐流入側の受け口８１ａの口径は、Ｙ継手８ａの両端部の受け口８２ａの口径よりも小径とされている。ヘッダー８の上流側の受け口８２ａには蓋８４が着脱自在に装着されている。ヘッダー８の流入側および流出側の受け口８１ａ，８２ａの口径はそれぞれ３０〜７５ｍｍ、１００ｍｍである。なお、ヘッダー８は灰色に着色した不透明なものである。
【００５１】
ヘッダー８の分岐流入側の各受け口８１ａに、建物２内に設置されているトイレ２１，洗面所２２，洗濯機２３，浴室２４，台所２５などの排水設備に接続されている各排水枝管５１の流出側端部が接続されている。なお、トイレ２１と接続されている排水枝管５１は、内側基礎４１に設けられた孔４１ａを貫通して配管されている。各排水枝管５１の一部は蛇腹状あるいは螺旋状とされ、曲げ配管ができるように可撓性が付与されている。
【００５２】
ヘッダー８と台所２５との間は、排水枝管５１がＬ字状に配管されて接続されており、この排水枝管５１の曲がり部には９０度大曲りＹ継手５２が接着接続され、このＹ継手５２の受け口内に栓体５３が着脱自在に装着されて掃除口とされている。この栓体５３の形状はＹ継手５２内にスムーズな流路が形成されるようになされている。
【００５３】
同様に、ヘッダー８と浴室２４との間を接続している排水枝管５１の曲がり部にも９０度大曲りＹ継手５２が接着接続され、このＹ継手５２の受け口内に上記と同一の栓体５３が着脱自在に装着されて掃除口とされている。
【００５４】
このように、浴室２４および台所２５とヘッダー８との間を接続している両排水枝管５１の曲がり部に掃除口を設けることによって、この掃除口を通じて両排水枝管５１内の点検や掃除を行えるようになっている。
【００５５】
そして、ヘッダー８の流出側受け口８２ａに、９０度曲がり継手を介して、排水主管３の上流側端部が接着接続されている。その際、ヘッダー８および排水主管３は、図１５に示すように、ヘッダー８の２箇所、排水主管３の上流側および下流側の２箇所の合計４箇所に配置された管枕９の凹部９１にて支持され、床下の防湿コンクリート４６上に、たとえば１／１００の排水勾配を有して配管されている。この管枕９は上記第２実施例（参考例）のものと基本的には同一のものであり、下流側に配置されている管枕９のほうが、上流側に配置されている管枕９よりも、その底部高さ（Ｈ）が低くされている。
【００５６】
また、浴室２４および台所２５と集水桝８との間を接続している両排水枝管５１の部分にも、上記第２実施例（参考例）と同様の管枕９が配置されることで、両排水枝管５１は所定の排水勾配を有して配管されている。
【００５７】
そして、排水主管３の下流側端部が建物２の外周基礎４の外側地中に埋設された排水桝６の流入側受け口６１と接着接続され、この排水桝６の流出側受け口６２に排水主管３Ａが接着接続され、この排水主管３Ａの下流側端部が公共桝７の流入側受け口と接着接続され、この公共桝７を通じて建物２内の各排水設備２１〜２５にて生じた排水が下水道本管に排水されるようになっている。なお、排水主管３，３Ａはともに口径１００ｍｍの灰色に着色した不透明な硬質塩化ビニル樹脂製のものである。
【００５８】
外周基礎４の孔４ａを貫通して屋外に突出されている排水主管３の下流側先端と、建物２の外周基礎４の外側地中に埋設された排水桝６の流入側受け口６１との間は、上記第１実施例の図６と同様に、９０度大曲りＹ継手３４，短管３５および９０度エルボ継手３６を介して接続されている。
【００５９】
また、ヘッダー８を透明な合成樹脂製のものとすることで、ヘッダー８内の点検を外部から目視にて行うことが可能となり、ヘッダー８端部の掃除口を通じてヘッダー８内の掃除を行える。
【００６０】
その際、トイレ２１，洗面所２２，洗濯機２３，浴室２４，台所２５などの排水設備に接続されている各排水枝管５１も透明な硬質塩化ビニル樹脂管としてもよい。また、排水主管３と各排水枝管５１を不透明なものとし、ヘッダー８を透明なものとしてもよい。各排水枝管５１は内面が平滑な蛇腹管や螺旋管などの可撓性管であってもよい。
【００６１】
さらに、上記図１５の実施例では、複数の９０度大曲りＹ継手８ａを管軸方向に接続することでヘッダー８を構成したが、図１６に示すように、ヘッダーそのものを一体化したものであってもよい。その際、ヘッダーは合成樹脂製、金属製のいずれでもよい。
【００６２】
図１６のヘッダー８Ａは、円筒状のヘッダー本体８１の上側壁部に、所定の間隔をおいて、５個の流入側の接続部８１ａを形成し、ヘッダー本体８１の一端開口を蓋体８３にて閉塞することで掃除口とするとともに、他端部を流出側の受け口８２ａとしたものである。
【００６３】
また、上記図１５の実施例の場合でも、図１２にて示した勾配付きの管継手９Ａ、あるいは図１４にて示した勾配付き支持板９Ｂを用いてヘッダー８および排水主管３に所定の排水勾配を付与するようにしてもよい。さらに、図１６のようにヘッダー８Ａが一体のものである場合は、ヘッダー本体８１に支持脚部を設け、この支持脚部にて所定の排水勾配を付与するようにしてもよい。
【００６４】
同様に、浴室２４および台所２５と集水桝８との間を接続している両排水枝管５１の部分にも、同様の管継手９Ａを配置して、両排水枝管５１に所定の排水勾配を付与するようにしてもよい。その際、ヘッダー８と浴室２４（あるいは台所２５）との間を接続している排水枝管５１の曲がり部に接続している９０度大曲りＹ継手５２そのものを勾配付きのもの、あるいは、このＹ継手５２に代えて勾配付きのベンド継手としてもよい。
【００６５】
【発明の効果】
請求項１記載の本発明の住宅用排水システムでは、建物の床下に、複数の流入側接続部と１個の流出側接続部を有するヘッダーが配置され、このヘッダーの各流入側接続部に、建物内に設置されている各種排水設備に接続されている排水枝管の流出側端部が接続されるとともに、ヘッダーの流出側接続部と接続されている排水主管の下流側端部が建物の外周基礎を貫通して屋外に突出されて建物の外周基礎の外側地中に埋設されている排水桝の流入側接続部と接続され、この排水桝の流出側接続部と接続されている排水主管の下流側端部が公共桝の流入側接続部と接続されているので、建物内の各種排水設備に接続されている排水枝管の流出側端部を、ヘッダーの各流入側接続部と接続することで、一箇所にて各種排水設備との間の配管接続を一箇所にて効率よく行える。また、建物の外周基礎に形成する挿通孔が一箇所で済み、建物の外周基礎の強度低下が生じない。
また、排水主管は建物の床下に配管されているので、掘削工事などの土工費用を削減できる。そして、排水主管が露出配管されていることで、排水主管の部分的補修を、たとえばやり取り継手などを用いて容易に行うことができる。しかも、建物の外周基礎の外側の宅地内に埋設する排水桝は一つで済むので、材料費や施工費を削減できる。さらに、従来のように、建物の外周基礎の外側の宅地内に排水主管や多数の排水桝を埋設する必要がないので、狭小な宅地であっても、宅地を有効に活用できる。
【００６６】
（削除）
【００６７】
（削除）
【００６８】
（削除）
【００６９】
また、ヘッダーの設置場所が決まることによって、配管ルートが明確になり、プレハブ配管が可能となる。その結果、配管作業者による施工差も解消できる。
【００７０】
そして、ヘッダーおよび排水主管が、建物の床下面に対して所定の排水勾配を有して配管されているので、排水の流れ特性は良好である。
【００７１】
また、排水枝管のうち、建物内の排水設備であるトイレと接続されている排水枝管のみが、外周基礎の内側に存在している内側基礎に設けられた挿通孔を挿通して、所定の排水勾配を有して配管されているので、排水の流れ特性は良好である。この場合、トイレと接続されている排水枝管が内側基礎に設けられた挿通孔を挿通して、所定の排水勾配を有して配管されているので、トイレ以外の建物内の排水設備（例えば洗面所、洗濯機、浴室、台所など）と接続されている排水枝管の場合のように、これらの排水枝管に所定の排水勾配を付与するために必要な管枕あるいは管継手が不要となる。
【図面の簡単な説明】
【図１】本発明の第１実施例（参考例）を示す模式説明図である。
【図２】図１の要部を示す横断面図である。
【図３】図１の排水主管の曲がり部を示す拡大説明図である。
【図４】図３のＸ−Ｘでの断面図である。
【図５】図２の排水主管の支持構造を示す拡大縦断面図である。
【図６】図２の要部を拡大して示す縦断面図である。
【図７】図６の変形例を示す縦断面図である。
【図８】本発明の第２実施例（参考例）の要部を示す横断面図である。
【図９】図８の集水桝を示す平面図および正面図である。
【図１０】図８の排水主管の支持構造を示す拡大縦断面図である。
【図１１】図１０のＹ−Ｙでの拡大断面図である。
【図１２】図１０の変形例を示す要部説明図である。
【図１３】図１０の他の変形例を示す縦断面図である。
【図１４】図１３の傾斜板を示す斜視説明図である。
【図１５】本発明の第３実施例の要部を示す横断面図である。
【図１６】図１２のヘッダーの変形例を示す正面図である。
【図１７】従来の住宅用排水システムを示す模式説明図である。
【符号の説明】
１  宅地
２  建物
２１  トイレ
２２  洗面所
２３  洗濯機
２４  浴室
２５  台所
３  排水主管
３１，３４  ９０度大曲りＹ継手
４  外周基礎
４ａ，４ｂ，４ｃ，４ｄ  孔
４１  内側基礎
４１ａ  挿通孔
４６  防湿コンクリート
５  排水枝管
６  排水桝
６１  流入側受け口
８  集水桝（ヘッダー）
８ａ  ９０度大曲りＹ継手
８２  流入側受け口
８３  流出側受け口
８Ａ  ヘッダー
８１ａ  流入側受け口
８２ａ  流出側受け口
９  管枕
９Ａ  勾配付き管継手
９１Ａ  支持脚部
９Ｂ  勾配付き支持板
【図１】
0004503763.tif 000002
【図２】
0004503763.tif 000003
【図３】
0004503763.tif 000004
【図４】
0004503763.tif 000005
【図５】
0004503763.tif 000006
【図６】
0004503763.tif 000007
【図７】
0004503763.tif 000008
【図８】
0004503763.tif 000009
【図９】
0004503763.tif 000010
【図１０】
0004503763.tif 000011
【図１１】
0004503763.tif 000012
【図１２】
0004503763.tif 000013
【図１３】
0004503763.tif 000014
【図１４】
0004503763.tif 000015
【図１５】
0004503763.tif 000016
【図１６】
0004503763.tif 000017
【図１７】
0004503763.tif 000018